(57)【要約】【課題】本発明は、記録ディスクメディアの高密度記録化を図ることができる記録ディスクカートリッジを提供することを課題とする。【解決手段】本発明は、記録ディスクメディア３０を収容するカートリッジケース１０と、カートリッジケース１０内で回動する円盤形状のロータリシャッタ２０とを備える記録ディスクカートリッジ１において、合成樹脂製のロータリシャッタ２０には、金属製のカートリッジケース１０に対する滑り処理が施されている。【選択図】図１
2007141366.tif 000002
【特許請求の範囲】
【請求項１】
記録ディスクメディアと、前記記録ディスクメディアを収容するとともに前記記録ディスクメディアを外部に臨ませる開口部を有するカートリッジケースと、前記カートリッジケース内で回動して前記開口部を開閉する円盤形状のロータリシャッタとを備える記録ディスクカートリッジにおいて、
前記ロータリシャッタが、その上壁部を形成する略円形で金属製の上シャッタプレートと、
その下壁部を形成する略円形で金属製の下シャッタプレートと、
その周壁部を形成する略リング形状で合成樹脂製のシャッタウォールと、
を備えており、
前記シャッタウォールの上側周縁が、上シャッタプレートの板面から上側に突出し、前記シャッタウォールの下側周縁が、下シャッタプレートの板面から下側に突出しているとともに、前記シャッタウォールには、カートリッジケースに対する滑り処理が施されていることを特徴とする記録ディスクカートリッジ。
【請求項２】
前記滑り処理が、前記シャッタウォールを形成する前記合成樹脂に潤滑剤を含有させる処理であることを特徴とする請求項１に記載の記録ディスクカートリッジ。
【請求項３】
前記潤滑剤が、前記シャッタウォールを形成する前記合成樹脂に対して良相溶性潤滑剤であることを特徴とする請求項２に記載の記録ディスクカートリッジ。
【請求項４】
前記滑り処理が、前記シャッタウォールの前記上側周縁及び前記下側周縁の少なくともいずれかに施されていることを特徴とする請求項１に記載の記録ディスクカートリッジ。
【請求項５】
前記滑り処理が、潤滑剤を含む部材の貼り付け、又は潤滑剤の塗布であることを特徴とする請求項１に記載の記録ディスクカートリッジ。
【請求項６】
前記シャッタウォールには、滑り処理に加えて帯電防止処理が施されていることを特徴とする請求項１から請求項５のいずれか１項に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきているとともにその記録長はより短くなってきている。
【０００３】
従来の記録ディスクカートリッジとしては、例えば特許文献１に記載のものが知られている。ここで、図８（ａ）は、従来の記録ディスクカートリッジの上側を前方左側から見下ろした様子を示す斜視図、図８（ｂ）は、この記録ディスクカートリッジの下側を後方左側から見上げた様子を示す斜視図である。図８（ａ）に示すように、従来の記録ディスクカートリッジ８００は、その外観が厚さの薄い略直方体であって、カートリッジケース８１０の内部に回動可能に配置されたロータリシャッタ８２０と、このロータリシャッタ８２０の内部に回転自在に配置された記録ディスクメディア８３０とを備えている。この記録ディスクカートリッジ８００では、薄さを確保するために、カートリッジケース８１０とロータリシャッタ８２０とが金属プレートに絞り加工を施すことによって形成されている。
この記録ディスクカートリッジ８００では、図８（ａ）に示すように、ロータリシャッタ８２０が、円盤形状に形成されており、そして、図８（ｂ）に示すように、ロータリシャッタ８２０の下側に立設されたシャッタノブ８２４が、カートリッジケース８１０に穿たれた円弧状のガイド溝８２４ａから突出している。
【０００４】
この記録ディスクカートリッジ８００では、その前側から図示しない専用のドライブ装置のスロットに挿入される際に、スロットに受け止められたシャッタノブ８２４がガイド溝８２４ａ内を後側に移動することでロータリシャッタ８２０が回動する。そして、ロータリシャッタ８２０の切欠部８２１がカートリッジケース８１０のアクセス用開口部８１３と重なり合って記録ディスクメディア８３０が外部に臨むことで、記録ディスクメディア８３０に対するドライブ装置のヘッド（図示省略）のアクセスが可能となる。
【特許文献１】米国特許第６２５６１６８号明細書
【発明の開示】
【発明が解決しようとする課題】
【０００５】
しかしながら、従来の記録ディスクカートリッジ８００では、円弧状に湾曲するロータリシャッタ８２０の周壁部が、前記したように、金属プレートに絞り加工が施されることで形成されるために、折り曲げ箇所で加工歪みが生じる。そのために、ロータリシャッタ８２０の平坦面には反りやうねりが生じやすい。そして、このような反りやうねりがロータリシャッタ８２０に生じると、従来の記録ディスクカートリッジ８００では、ロータリシャッタ８２０の内部に配置された記録ディスクメディア８３０（図８（ａ）参照）の回転動作が安定しないために、記録ディスクメディア８３０の高密度記録化を図ることができないという問題があった。
また、従来の記録ディスクカートリッジ８００では、シャッタノブ８２４がドライブ装置のスロットに受け止められてロータリシャッタ８２０が回動する際に、ロータリシャッタ８２０がカートリッジケース８１０内で傾いてカートリッジケース８１０の内壁と接触する場合がある。そして、金属製のロータリシャッタ８２０が、同じく金属製のカートリッジケース８１０と擦れ合いながら回動すると、カートリッジケース８１０内で金属粉が発生することで記録ディスクメディア８３０を汚損する。また、記録ディスクメディア８３０が高密度記録化されると、従来は問題とならなかった程度の金属粉による汚損であっても、記録ディスクメディア８３０に対する適正な記録再生が阻害されることとなる。
【０００６】
そこで、本発明は、記録ディスクメディアの高密度記録化を図ることができる記録ディスクカートリッジを提供することを課題とする。
【課題を解決するための手段】
【０００７】
前記課題を解決する本発明は、記録ディスクメディアと、前記記録ディスクメディアを収容するとともに前記記録ディスクメディアを外部に臨ませる開口部を有するカートリッジケースと、前記カートリッジケース内で回動して前記開口部を開閉する円盤形状のロータリシャッタとを備える記録ディスクカートリッジにおいて、前記ロータリシャッタが、その上壁部を形成する略円形で金属製の上シャッタプレートと、その下壁部を形成する略円形で金属製の下シャッタプレートと、その周壁部を形成する略リング形状で合成樹脂製のシャッタウォールとを備えており、前記シャッタウォールの上側周縁が、上シャッタプレートの板面から上側に突出し、前記シャッタウォールの下側周縁が、下シャッタプレートの板面から下側に突出しているとともに、前記シャッタウォールには、カートリッジケースに対する滑り処理が施されていることを特徴とする。
【０００８】
この記録ディスクカートリッジでは、ロータリシャッタの周壁部を構成するシャッタウォールが合成樹脂で形成されており、金属製の上シャッタプレートが、シャッタウォールの上側周縁よりも下側に位置し、同じく金属製の下シャッタプレートが、シャッタウォール２３の下側周縁よりも上側に位置することとなる。そのため、たとえロータリシャッタがその回動時に金属製のカートリッジケースと接触したとしても、ロータリシャッタの金属部分（上シャッタプレート及び下シャッタプレート）がカートリッジケースと接触することはない。したがって、この記録ディスクカートリッジでは、従来の記録ディスクカートリッジ（例えば、特許文献１参照）と異なって、カートリッジケース内で金属粉が生じることが防止される。そして、金属粉の発生が防止されるので、この記録ディスクカートリッジは、記録ディスクメディアの高密度記録化を図ることができる。
そして、この記録ディスクカートリッジでは、ロータリシャッタがカートリッジケースと接触する際には、ロータリシャッタにおけるシャッタウォールの上側周縁、または下側周縁がカートリッジケースと接触する。その一方で、シャッタウォールは、滑り処理が施されているので、カートリッジケースに対する摩擦抵抗が減じられる。したがって、ロータリシャッタの回動が円滑になるとともに、ロータリシャッタ（シャッタウォール）の摩耗が防止される。したがって、合成樹脂製のシャッタウォールが合成樹脂粉を発生することも回避されるので、この記録ディスクカートリッジは、記録ディスクメディアの高密度記録化を図ることができる。
また、このような記録ディスクカートリッジにおいては、前記滑り処理が、前記シャッタウォールを形成する前記合成樹脂に潤滑剤を含有させる処理であってもよい。この潤滑剤としては、前記シャッタウォールを形成する前記合成樹脂に対して良相溶性潤滑剤であるものが好ましい。
また、このような記録ディスクカートリッジにおいては、前記滑り処理が、前記シャッタウォールの前記上側周縁及び前記下側周縁の少なくともいずれかに施されていてもよい。そして、このような記録ディスクカートリッジにおいては、前記滑り処理が、潤滑剤を含む部材の貼り付け、又は潤滑剤の塗布であってもよい。
また、このような記録ディスクカートリッジにおいては、前記シャッタウォールには、滑り処理に加えて帯電防止処理が施されていてもよい。
また、この記録ディスクカートリッジでは、ロータリシャッタのシャッタウォールが、帯電防止剤を含む合成樹脂で形成されているので、ロータリシャッタ（シャッタウォール）が、たとえカートリッジケースに対して摺動したとしても、ロータリシャッタにおける帯電が防止される。したがって、たとえカートリッジケース内に塵埃が入り込んだとしても、塵埃がロータリシャッタに吸着されてカートリッジケース内に留まることがない。また、この記録ディスクカートリッジでは、ロータリシャッタ内に収容される記録ディスクメディアに対して静電気の悪影響が及ぶことがない。
【発明の効果】
【０００９】
本発明の記録ディスクカートリッジによれば、記録ディスクメディアの高密度記録化を図ることができる。
【発明を実施するための最良の形態】
【００１０】
本発明を実施するための最良の形態について図面を参照して詳細に説明する。
参照する図面において、図１は、本実施形態に係る記録ディスクカートリッジを示す斜視図であり、（ａ）は、この記録ディスクカートリッジの上側を見下ろした様子を示す図、（ｂ）は、この記録ディスクカートリッジの下側を見上げた様子を示す図である。図２は、図１の記録ディスクカートリッジの分解斜視図である。図３は、図１の記録ディスクカートリッジを構成する下シェル及びハブ孔シャッタを取り外したときの記録ディスクカートリッジの下側の様子を示す図である。図４は、図１の記録ディスクカートリッジを構成するロータリシャッタの斜視図であり、（ａ）は、ロータリシャッタの上側を見下ろした様子を示す図、（ｂ）は、ロータリシャッタの下側を見上げた様子を示す図である。図５は、ロータリシャッタの分解斜視図であり、切欠部近傍の拡大図である。なお、本実施形態において方向を説明する場合は、図１に示す前、後、右、左、上、下を基準として説明する。また、図３中、下シェルのガイド溝及びハブ孔シャッタは、便宜上、仮想線（二点鎖線）で表わしている。
【００１１】
図１（ａ）及び（ｂ）に示すように、本実施形態に係る記録ディスクカートリッジ１は、その外観が板状体であって、平面視で前側の輪郭が円弧状（アーチ状）となるように、そして後側の輪郭が略矩形となるように形成されている。この記録ディスクカートリッジ１は、後記する専用のドライブ装置Ｄ（図７参照）に、その前側から挿入されて使用される。ちなみに、記録ディスクカートリッジ１の後端は、その中間部が後方に膨らんでおり、記録ディスクカートリッジ１をドライブ装置Ｄ（図７参照）に対して出し入れする際に把持し易くなっている。
【００１２】
この記録ディスクカートリッジ１は、図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０とを備えている。
【００１３】
＜カートリッジケース＞
カートリッジケース１０は、図１（ａ）及び（ｂ）に示すように、厚さの薄い箱状体であって、記録ディスクカートリッジ１の略外形を構成している。つまり、カートリッジケース１０は、前側が平面視で円弧（アーチ）状に形成されるとともに、後側、右側及び左側が平面視で略直線状に形成されている。このカートリッジケース１０の前側左寄りには、カートリッジケース１０内に収容された記録ディスクメディア３０を外部に臨ませるためのアクセス用開口部１０１が形成されている。そして、アクセス用開口部１０１は、後記するドライブ装置Ｄ（図７参照）のスイングアームＳＡ（図７参照）の動作に干渉しないように、平面視でくさび形状となっている。なお、このアクセス用開口部１０１は、特許請求の範囲にいう「開口部」に相当する。
【００１４】
このようなカートリッジケース１０は、図２に示すように、互いに対向して配置される金属製の上シェル１１及び下シェル１２と、この上シェル１１及び下シェル１２の間に介在してカートリッジケース１０の周壁となる合成樹脂製のフレーム部材１３とを備えて構成されている。ここでは、上シェル１１及び下シェル１２、並びにフレーム部材１３の順番で以下に説明する。
【００１５】
上シェル１１及び下シェル１２は、金属プレートを後記するように折り曲げ加工して形成されたものである。上シェル１１は、図２に示すように、主にカートリッジケース１０の平坦な上壁を構成し、下シェル１２は、主にカートリッジケース１０の平坦な下壁を構成している。このような上シェル１１及び下シェル１２のそれぞれには、アクセス用開口部１０１に対応する形状でアクセス用開口部１１１，１２１が形成されている。
【００１６】
そして、上シェル１１は、その左側に、折り曲げ加工して形成された平面視で直線状の折り曲げ部１１２ｄを有しており、その右側に、折り曲げ部１１２ｃを有している。下シェル１２は、その左側に、平面視で直線状の折り曲げ部１２２ｄを有しており、その右側に、折り曲げ部１２２ｃを有している。そして、下シェル１２の折り曲げ部１２２ｄ，１２２ｃが上シェル１１の折り曲げ部１１２ｄ，１１２ｃの内側に配置されるように、上シェル１１と下シェル１２とが組み合わされてカートリッジケース１０が形成されることとなる。このようなカートリッジケース１０では、上シェル１１の折り曲げ部１１２ｄ，１１２ｃと下シェル１２の折り曲げ部１２２ｄ，１２２ｃとが互いに隙間なく重なり合ってカートリッジケース１０の左右両側における直線状の周壁の一部を構成している。
【００１７】
そして、上シェル１１の中央部には、図２に示すように、ロータリシャッタ２０を回動可能に止め付けるセンタピン５０と係合する係合孔１１３が形成されている。
【００１８】
一方、下シェル１２の中央部には、記録ディスクメディア３０のハブ３２を外部に臨ませるハブ孔１２３が形成されている。そして、記録ディスクカートリッジ１がドライブ装置Ｄ（図７参照）に装填された際に、ドライブ装置Ｄのスピンドル（図示省略）が、このハブ孔１２３を介してハブ３２と係合することとなる。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
このような上シェル１１及び下シェル１２は、例えばステンレス鋼等の金属プレートに打ち抜き加工、及び前記した折り曲げ加工を施すことによって形成される。
【００１９】
フレーム部材１３は、図１（ａ）及び（ｂ）に示すように、カートリッジケース１０の前側における周壁の一部を構成するアーチ状フレーム１３１と、主に後側の周壁を構成するベースフレーム１３２と、左側の周壁の一部を構成するＶノッチ部材１３３とを備えて構成されている。
【００２０】
図３に示すように、アーチ状フレーム１３１の内壁面１３１ａは、ロータリシャッタ２０の外形に沿うように平面視で略円弧状になっており、アーチ状フレーム１３１の外壁面１３１ｂは、カートリッジケース１０の前側の輪郭を形成するように平面視で円弧状（アーチ状）になっている。そして、ベースフレーム１３２の内壁面１３２ａは、記録ディスクメディア３０の外縁に沿うように平面視で円弧状（アーチ状）になっており、ベースフレーム１３２の外壁面１３２ｂはカートリッジケース１０の後側の輪郭を形成するように平面視で略直線状になっている。
【００２１】
アーチ状フレーム１３１の内壁面１３１ａには、後記するロック片７０を係止する係合溝１３１ｅが形成されている。この係合溝１３１ｅは、記録ディスクカートリッジ１の右側で開口している。
【００２２】
Ｖノッチ部材１３３は、図３に示すように、ロータリシャッタ２０を閉位置で止めるストッパとしての役割と、ドライブ装置Ｄ（図７参照）との係合部としての役割とを担う部材であって、記録ディスクカートリッジ１の左側における直線部の前端に位置している。
【００２３】
以上のような上シェル１１及び下シェル１２とフレーム部材１３とは、例えば、かしめ、接着、ネジ止め等の公知の技術によって、それぞれ固定される。
【００２４】
＜ロータリシャッタ＞
ロータリシャッタ２０は、アクセス用開口部１０１（図１（ａ）（ｂ）参照）を開閉するためのシャッタであって、図４に示すように、円盤形状に形成されている。このロータリシャッタ２０は、中空構造を有しており、その内部には記録ディスクメディア３０が回転自在に収容されている。そして、ロータリシャッタ２０は、アクセス用開口部１０１（図１（ａ）（ｂ）参照）と略同形状の切欠部２０１を有しており、この切欠部２０１で記録ディスクメディア３０が露出している。
【００２５】
再び図２を参照すると、ロータリシャッタ２０は、金属プレートからなり、後記する切欠部２１１，２２１が形成された略円形の上シャッタ２１及び下シャッタ２２と、これらの間に配置された合成樹脂製のシャッタウォール２３とを備えて構成されている。なお、上シャッタ２１は、特許請求の範囲にいう「上シャッタプレート」に相当し、下シャッタ２２は、「下シャッタプレート」に相当する。ここでは、上シャッタ２１及び下シャッタ２２、並びにシャッタウォール２３の順番で以下に説明する。
【００２６】
上シャッタ２１及び下シャッタ２２は、例えばアルミニウム合金からなる金属プレートを打ち抜き加工して形成されたものである。上シャッタ２１は、図２に示すように、主にロータリシャッタ２０の平坦な上壁部を構成し、下シャッタ２２は、主にロータリシャッタ２０の平坦な下壁部を構成している。
【００２７】
図５に示すように、上シャッタ２１及び下シャッタ２２の外周縁には、ギヤ状に凸部２ａと凹部２ｂとが交互に周方向に沿って連続して並ぶ凹凸が形成されている。そして、凸部２ａの高さｄ（凹部２ｂの深さｄ）は、後記するシャッタウォール２３の厚さｗと略一致するように形成されている。
【００２８】
図４（ａ）に示すように、上シャッタ２１には、上シェル１１の係合孔１１３に対応する位置に挿通孔２１２が形成されている。また、図４（ａ）及び（ｂ）に示すように、上シャッタ２１及び下シャッタ２２のそれぞれには、切欠部２０１に対応する形状で切欠部２１１，２２１が形成されている。そして、図４（ａ）及び（ｂ）に示すように、それぞれの切欠部２１１及び切欠部２２１が揃うように上シャッタ２１と下シャッタ２２とが組み合わせられることで、ロータリシャッタ２０の切欠部２０１が形成されることとなる。
【００２９】
下シャッタ２２の中央部には、図４（ｂ）に示すように、記録ディスクメディア３０のハブ３２を外部に臨ませるハブ孔２２２が形成されている。ちなみに、本実施形態でのハブ孔２２２は、下シェル１２（図１（ｂ）参照）のハブ孔１２３（図１（ｂ）参照）と略同径になっている。そして、記録ディスクカートリッジ１がドライブ装置Ｄ（図７参照）に装填された際に、このハブ孔２２２と前記したカートリッジケース１０（図２参照）のハブ孔１２３（図２参照）とを介して、ドライブ装置Ｄのスピンドル（図示省略）が、ハブ３２に係合することとなる。
【００３０】
下シャッタ２２の下側には、ロータリシャッタ２０を回動させるためのシャッタノブ２４が取り付けられている。このシャッタノブ２４は、図１（ｂ）に示すように、カートリッジケース１０の下シェル１２に形成されたガイド孔１２４を介して、記録ディスクカートリッジ１の下側から突出している。
【００３１】
また、下シャッタ２２の下側には、図４（ｂ）に示すように、後記するハブ孔シャッタ４０（図２参照）の係合長孔４１３（図２参照）に係合する係合突起２２３ａと、係合長孔４２３（図２参照）に係合する係合突起２２３ｂとが立設されている。
【００３２】
そして、下シャッタ２２は、図２に示すように、その一部が上側に折り曲げ加工されることで形成されたロック片７０を備えている。このロック片７０は、ロータリシャッタ２０を閉位置でロックするためのものである。ロック片７０は、図４（ａ）に示すように、上シャッタ２１と下シャッタ２２とが組み合わせられてロータリシャッタ２０が形成された際に、ロータリシャッタ２０の周壁部２０ａからその略接線方向に延出する細長の金属片である。このロック片７０の先端部７１は、周壁部２０ａ側に向かってやや屈曲している。ちなみに、このロック片７０はバネ弾性を有している。
【００３３】
また、図５に示すように、上シャッタ２１及び下シャッタ２２のそれぞれの凸部２ａには、円孔であるボス孔２６が形成されている。つまり、このボス孔２６は、上シャッタ２１及び下シャッタ２２の周縁に沿うように（周方向に並ぶように）形成されている。
【００３４】
なお、図２に示すように、前記した上シャッタ２１及び下シャッタ２２のそれぞれの内側（記録ディスクメディア３０側）には、記録ディスクメディア３０をクリーニングするとともに、記録ディスクメディア３０を保護する不織布等からなるライナ６０が設けられている。
【００３５】
シャッタウォール２３は、図２に示すように、ロータリシャッタ２０の上シャッタ２１及び下シャッタ２２の周縁に沿って延びるように配置されてロータリシャッタ２０の周壁部２０ａ（図３（ａ）参照）を構成する部材である。このシャッタウォール２３は、ロータリシャッタ２０の切欠部２０１に相当する部分が切り欠かれた、平面視で「Ｃ」字形状（略リング形状：切欠リング形状）の部材である。
【００３６】
図５に示すように、シャッタウォール２３の上下には、上シャッタ２１及び下シャッタ２２のそれぞれの凸部２ａを受け入れる窪み２３２が形成されている。この窪み２３２の形状は、平面視で凸部２ａと同じ形状で形成されている。そして、窪み２３２のそれぞれには、凸部２ａのボス孔２６に対応する位置に、ボス２７が立設されている。また、窪み２３２の深さ（上下方向の深さ）は、上シャッタ２１及び下シャッタ２２の厚さよりも深くなるように設定されている。したがって、上シャッタ２１及び下シャッタ２２と、シャッタウォール２３とを組み合わせた際に、凸部２ａが窪み２３２に嵌まり込むとともに、ボス２７がボス孔２６に挿通されるようになっている。そして、図６に示すように、窪み２３２の深さが、上シャッタ２１及び下シャッタ２２の厚さよりも深くなるように設定されていることで、上シャッタ２１の板面は、シャッタウォール２３の上側突出面２３３よりも下側に位置し、下シャッタ２２の板面は、シャッタウォール２３の下側突出面２３１よりも上側に位置している。なお、上側突出面２３３は、特許請求の範囲にいう「上側周縁」に相当し、下側突出面２３１は、「下側周縁」に相当する。
【００３７】
そして、ロータリシャッタ２０では、シャッタウォール２３の上下のボス２７が上シャッタ２１及び下シャッタ２２のそれぞれのボス孔２６に挿通されてその頭部がかしめられることによって上シャッタ２１及び下シャッタ２２がシャッタウォール２３を介して固定されることとなる。ちなみに、ボス２７は、ボス孔２６内に収まるように、つまりボス孔２６からボス２７が突出しないようにかしめられる。なお、この「かしめ」の方法としては、公知のものでよく、例えば、熱間かしめ法、冷間かしめ法等が挙げられる。
【００３８】
このようなロータリシャッタ２０は、潤滑剤と帯電防止剤とを含む合成樹脂で形成されている。
潤滑剤としては、一般に合成樹脂成形品に使用されているものでよく、例えば、鉱油、流動パラフィン、パラフィンワックス、脂肪酸、脂肪族アルコール、３価以上の多価アルコール等のアルコール類、脂肪族アミド、脂肪酸金属塩、脂肪酸エステル、前記アルコール類と脂肪酸とのエステル、多価カルボン酸と脂肪族アルコールとのエステル、グリコール、アルコール類へのアルキレンオキシドの付加物、脂肪酸へのアルキレンオキシドの付加物等が挙げられる。また、ポリオレフィンワックスやシリコーンオイルやポリアルキレングリコール等も使用できる。中でも、好ましいのは、ラウリン酸、ミリスチン酸、パルミチン酸、ステアリン酸、アラキジン酸、ベヘン酸、モンタン酸等の脂肪酸；ヘキシルアルコール、オクチルアルコール、セチルアルコール、ステアリルアルコール、ベヘニルアルコール等の脂肪族アルコール；エチレングリコール、プロピレングリコール、ブチレングリコール、１，４−ブタンジオール等のグリコール；グリセリン、ポリグリセリン、ペンタエリトリトール、ポリテトラヒドロキシフラン等の３価以上の多価アルコール；前記脂肪酸とアルコール類とのエステル；前記アルコール類へのアルキレンオキシド付加物；ステアリルアミド、パルミチルアミド、オレイルアミド、メチレンビスステアリルアミド、エチレンビスステアリルアミド等の脂肪酸アミド；ステアリン酸カルシウム、ステアリン酸亜鉛、ステアリン酸マグネシウム等の脂肪酸金属塩；ポリエチレンワックス、ポリプロピレンワックス等のポリオレフィンワックス等が挙げられるが、なかでもグリセリンモノステアレート、エチレンビスステアリルアミド、ステアリン酸カルシウム、ポリエチレンワックスである。
以上のような潤滑剤は、合成樹脂に対して良相溶性潤滑剤であるシリコーンが好ましい。
【００３９】
帯電防止剤 としては、一般に合成樹脂成形品に使用されているものでよく、例えば、非イオン系帯電防止剤、アニオン系帯電防止剤 、カチオン系帯電防止剤 、両性帯電防止剤 、錯体化合物、帯電防止性の可塑剤等を使用することができる。これらの帯電防止剤としては、低分子型のもの、若しくは高分子型のもの、又はこれらの組み合わせであってもい。
【００４０】
低分子型の帯電防止剤 としては、例えば、ＲＣＯＯＸ（ＯＨ）n 、ＲＮ（ＣＨ2 ＣＨ2 ＯＨ）2 、ＲＣＯＮＮ（ＣＨ2 ＣＨ2 ＯＨ）2 （Ｒ：アルキル基、Ｘ：アルキレン基、オキシエチレン基等）等の非イオン性帯電防止剤、ＲＣ6 Ｈ4 ＳＯ3 Ｎａ、ＲＳＯ3 Ｎａ、−（ＣＨ2 ＣＨ）n −Ｃ6 Ｈ4 ＳＯ3 Ｎａ、（Ｒ1 Ｏ）（Ｒ2 Ｏ）ＰＯＯＮａ、（Ｒ1 、Ｒ2 、Ｒ3 ：アルキル基）等のアニオン系帯電防止剤、Ｒ1 Ｒ2 Ｒ3 Ｎ+ Ｒ4 Ｘ（Ｒ1 〜Ｒ4 ：アルキル基、Ｘ：ハロゲン、ＮＯ3 、ＣｌＯ4 等）等のカチオン系帯電防止剤、Ｒ1 Ｒ2 Ｒ3 Ｎ+ ＣＨ2 ＣＯＯ- （Ｒ1 〜Ｒ4 ：アルキル基）等の両性帯電防止剤、ホウ素系錯体化合物にて代表される錯体化合物、Ｃ4 Ｈ8 （ＣＯＯ（ＣＨ2 ＣＨ2 Ｏ）n Ｒ）2 （Ｒ：アルキル基）等が挙げられる。
【００４１】
高分子型の帯電防止剤 としては、例えば、ポリエチレングリコール、ポリオキシエチレンジアミン、ポリエーテル・ポリエステル・ポリアミドブロック共重合体等の非イオン性帯電防止剤、イオン性帯電防止剤 、例えば第４級アンモニウム塩型スチレン重合体（例えばポリビニルベンジルトリメチルアンモニウムクロライド）、第４級アンモニウム塩型アミノアルキル（メタ）アクリレート重合体（例えば、ポリジメチルアミノエチルメタクリレート４級化物）、第４級アンモニウム塩型ジアリルアミン重合体（例えば、ポリジアリルジメチルアンモニウムクロライド）等のカチオン性界面活性剤、スルホン酸塩型スチレン重合体（例えば、ポリスチレンスルホン酸ソーダ）等のアニオン系帯電防止剤等が挙げられる。
【００４２】
合成樹脂としては、射出成形品の材料として一般に使用される合成樹脂でよく、中でも、ポリオキシメチレン等のエンジニアプラスチックが好ましい。
【００４３】
以上のようなロータリシャッタ２０は、図２に示すように、上シェル１１の係合孔１１３に、上シャッタ２１の挿通孔２１２に挿通されたセンタピン５０が固定されることで、センタピン５０周りに回動可能にカートリッジケース１０内に収容されることとなる。
【００４４】
そして、カートリッジケース１０内でのロータリシャッタ２０は、図３に示すように、閉方向Ａ１に付勢されている。なお、この付勢手段としては、バネを有する公知の構造のものでよく、例えば、前記した特許文献１等に記載のものを使用することができる。そして、このように閉方向Ａ１に付勢されたロータリシャッタ２０は、Ｖノッチ部材１３３に当接することで閉位置に配置されてアクセス用開口部１０１（図１（ａ）（ｂ）参照）を閉じることとなる。ちなみに、本発明において、前記付勢手段は必須の構成要素ではなく、後記するように、ドライブ装置Ｄ（図７参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００４５】
また、このような閉位置に配置されたロータリシャッタ２０では、ロック片７０の先端部７１が、アーチ状フレーム１３１の係合溝１３１ｅに嵌り込むことで、ロータリシャッタ２０の回動を制止している。そして、この先端部７１は、記録ディスクカートリッジ１の右側で開口している係合溝１３１ｅで外部に臨んでいる。
【００４６】
＜記録ディスクメディア＞
記録ディスクメディア３０は、データを記録する記録媒体であり、図２に示すように、フレキシブルディスク３１と、このフレキシブルディスク３１を支持するハブ３２とを備えて構成されている。
【００４７】
フレキシブルディスク３１は、例えば、ポリエステルシート等からなる円盤状の支持体の両面に磁性層等の記録層を形成したものである。
【００４８】
ハブ３２は、フレキシブルディスク３１を支持する金属製の円盤状部材である。また、ハブ３２は、上面にフレキシブルディスク３１の取り付け部（図示省略）を備えるとともに、下面にドライブ装置Ｄ（図７参照）のスピンドル（図示省略）にチャックされるチャック部３２１（図４（ｂ）参照）を備えている。
【００４９】
＜ハブ孔シャッタ＞
ハブ孔シャッタ４０は、図２に示すように、板状の第１シャッタ４１と第２シャッタ４２とで構成されている。このハブ孔シャッタ４０は、図３に示すように、ハブ３２を両側から挟み付けるようにしてハブ孔１２３（図３中、ハブ孔２２２と重なって見える）のハブ３２周りで形成される隙間を閉じるシャッタである。
【００５０】
第１シャッタ４１は、図３に示すように、その一端部に形成された軸孔４１１に下シェル１２の回動軸部１２５ａが差し込まれることで、回動軸部１２５ａ周りで回動可能になっている。また、第２シャッタ４２は、その一端部に形成された軸孔４２１に下シェル１２の回動軸部１２５ｂが差し込まれることで、回動軸部１２５ｂ周りで回動可能になっている。そして、第１シャッタ４１及び第２シャッタ４２のそれぞれの他端部には、ハブ３２の径に合わせ込むように切り欠かれた半円形の切欠４１２，４２２が形成されている。
【００５１】
また、図３に示すように、第１シャッタ４１には、下シャッタ２２の係合突起２２３ａが係合する係合長孔４１３が形成されており、第２シャッタ４２には、係合突起２２３ｂが係合する係合長孔４２３が形成されている。ちなみに、図３に示すように、ロータリシャッタ２０が閉位置に配置されている際には、係合突起２２３ａが係合長孔４１３の後端側に位置し、係合突起２２３ｂが係合長孔４２３の前端側に位置している。
【００５２】
なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が前記した隙間を開閉するように設計されている。
【００５３】
次に、記録ディスクカートリッジ１の動作について適宜図面を参照しながら説明しつつ、記録ディスクカートリッジ１の作用効果について説明する。参照する図面において、図７は、図１の記録ディスクカートリッジをドライブ装置に装填する際の記録ディスクカートリッジの動作を説明するための斜視図であり、記録ディスクカートリッジの下側を見上げた様子を示す図である。
【００５４】
図７に示すように、ドライブ装置Ｄに挿入される前（通常時）の記録ディスクカートリッジ１では、ロータリシャッタ２０が前記した閉位置に配置されることでアクセス用開口部１０１が閉じている。そして、ハブ孔シャッタ４０は、ハブ孔１２３のハブ３２周りで形成される隙間を閉じている。そのため、アクセス用開口部１０１や前記した隙間から記録ディスクカートリッジ１内に塵埃が入り込むことが防止されるとともに、記録ディスクメディア３０が外部に露出しないので汚損されることが防止される。このとき、図３に示すように、ロック片７０の先端部７１は、アーチ状フレーム１３１の係合溝１３１ｅ（図３参照）に係合しているので、ロータリシャッタ２０は回動しない。したがって、ロータリシャッタ２０が不用意に回動して、後記するように、アクセス用開口部１０１や前記した隙間が開かれることが防止される。なお、このようにロータリシャッタ２０が閉位置に配置される場合、シャッタノブ２４は、下シェル１２のガイド孔１２４の前方に位置している。
【００５５】
そして、図７に示すように、記録ディスクカートリッジ１がドライブ装置Ｄに挿入されると、ドライブ装置Ｄ内のロック解除ピン（図示省略）が、図３に示すロック片７０の先端部７１を内側方向Ａ６に押圧する。その結果、ロック片７０と係合溝１３１ｅとの係合が解除されることで、ロータリシャッタ２０が回動可能となる。
【００５６】
その一方で、シャッタノブ２４は、ドライブ装置Ｄのシャッタノブ係止部Ｄ１に当接する。そして、記録ディスクカートリッジ１をさらに挿入していくにしたがって、シャッタノブ２４は、図３に示すように、ガイド孔１２４内を後方向Ａ２に向かって移動する。その結果、シャッタノブ２４が後方向Ａ２に移動するにしたがって、ロータリシャッタ２０は、カートリッジケース１０内でセンタピン５０（図２参照）周りに周方向Ａ３に回動する。つまり、このようなロータリシャッタ２０の回動に伴って、アクセス用開口部１０１が、ドライブ装置Ｄ内で徐々に開いていく。
【００５７】
このようにドライブ装置Ｄに記録ディスクカートリッジ１が挿入されていく際に、ロータリシャッタ２０が、前記したように閉方向Ａ１に向かって回動すると、下シャッタ２２の係合突起２２３ａが、周方向Ａ４に向かって回動するとともに、係合突起２２３ｂが、周方向Ａ４に向かって回動する。その結果、係合突起２２３ａが係合長孔４１３内を後端側に向かって移動することで、第１シャッタ４１は、切欠４１２がハブ３２から離れる方向Ａ５に向かって回動軸部１２５ａ周りに回動する。そして、係合突起２２３ｂが係合長孔４２３内を前端側に向かって移動することで、第２シャッタ４２は、切欠４２２がハブ３２から離れる方向Ａ５に向かって回動軸部１２５ｂ周りに回動する。その結果、ハブ孔シャッタ４０によるハブ３２の挟持状態が解除されるので、ドライブ装置Ｄのスピンドル（図示省略）によるハブ３２の回転が阻害されることがない。
【００５８】
また、記録ディスクカートリッジ１がドライブ装置Ｄから取り出される際には、ロータリシャッタ２０が付勢手段（図示省略）によって閉方向Ａ１に向かって回動することで前記した閉位置に戻る。そして、このロータリシャッタ２０の回動に伴って、係合突起２２３ａが係合長孔４１３内を前端側に向かって移動し、係合突起２２３ｂが係合長孔４２３内を後端側に向かって移動することで、ハブ孔シャッタ４０は、前記した隙間を閉じる。そして、このようにロータリシャッタ２０が閉位置に戻ると、前記したようにロック片７０がロータリシャッタ２０をロックすることで、ロータリシャッタ２０の回動は制止される。
【００５９】
なお、本実施形態では、ロータリシャッタ２０を閉方向Ａ１に付勢する付勢手段（図示省略）を有する記録ディスクカートリッジ１を例示しているが、本発明は付勢手段を省略したものであってもよい。この記録ディスクカートリッジ１では、例えば、スロット（図示省略）の近傍にシャッタノブ２４の係止手段（例えば、シャッタノブ２４のクランプ装置）を備えるドライブ装置Ｄを使用することによって、このドライブ装置Ｄへの挿入時には、係止手段でシャッタノブ２４が係止されることで、ロータリシャッタ２０がアクセス用開口部１０１を開き、ハブ孔シャッタ４０がハブ孔１２３を開く。そして、ドライブ装置Ｄから記録ディスクカートリッジ１を引き抜く際には、係止手段でシャッタノブ２４が係止されているので、ロータリシャッタ２０がアクセス用開口部１０１を閉じるとともに、ハブ孔シャッタ４０がハブ孔１２３を閉じる。この際、係止手段がシャッタノブ２４を係止する強さは、ロータリシャッタ２０を回動させるには充分であり、シャッタノブ２４の係止を操作者が容易に解除できる程度に設定される。
【００６０】
そして、このような記録ディスクカートリッジ１では、ロータリシャッタ２０の周壁部２０ａが、上シャッタ２１及び下シャッタ２２と別体のシャッタウォール２３で形成されている。そして、上シャッタ２１及び下シャッタ２２とシャッタウォール２３とが、かしめで固定されている。つまり、記録ディスクカートリッジ１では、従来の記録ディスクカートリッジ（例えば、特許文献１参照）におけるロータリシャッタと異なって、周壁部２０ａが絞り加工で形成されていないので、加工歪みを生じることがなく、上シャッタ２１及び下シャッタ２２の平坦性が失われることがない。その結果、この記録ディスクカートリッジ１によれば、記録ディスクメディア３０の回転動作が安定するので、記録ディスクメディア３０の高密度記録化を図ることができる。
【００６１】
また、このような記録ディスクカートリッジ１では、前記したように、ロータリシャッタ２０の周壁部２０ａを構成するシャッタウォール２３が合成樹脂で形成されており、金属製の上シャッタ２１が、シャッタウォール２３の上側突出面２３３よりも下側に位置し、同じく金属製の下シャッタ２２が、シャッタウォール２３の下側突出面２３１よりも上側に位置している（図６参照）。そのため、たとえロータリシャッタ２０がその回動時に金属製のカートリッジケース１０（上シェル１１、下シェル１２）と接触したとしても、ロータリシャッタ２０の金属部分（上シャッタ２１及び下シャッタ２２）がカートリッジケース１０と接触することはない。したがって、この記録ディスクカートリッジ１では、従来の記録ディスクカートリッジ１（例えば、特許文献１参照）と異なって、カートリッジケース１０内で金属粉が生じることが防止される。そして、金属粉の発生が防止されるので、この記録ディスクカートリッジ１は、記録ディスクメディア３０の高密度記録化を図ることができる。
【００６２】
そして、この記録ディスクカートリッジ１では、ロータリシャッタ２０がカートリッジケース１０と接触する際には、ロータリシャッタ２０におけるシャッタウォール２３の上側突出面２３３（図６参照）、または下側突出面２３１（図６参照）がカートリッジケース１０（上シェル１１、下シェル１２）と接触する。その一方で、シャッタウォール２３は、潤滑剤を含む合成樹脂で形成されている（滑り処理が施されている）ので、カートリッジケース１０に対する摩擦抵抗が減じられる。したがって、ロータリシャッタ２０の回動が円滑になるとともに、ロータリシャッタ２０（シャッタウォール２３）の摩耗が防止される。したがって、合成樹脂製のシャッタウォール２３が合成樹脂粉を発生することも回避されるので、この記録ディスクカートリッジ１は、記録ディスクメディア３０の高密度記録化を図ることができる。
【００６３】
また、この記録ディスクカートリッジ１では、ロータリシャッタ２０のシャッタウォール２３が、帯電防止剤を含む合成樹脂で形成されているので、ロータリシャッタ２０（シャッタウォール２３）が、たとえカートリッジケース１０（上シェル１１、下シェル１２）に対して摺動したとしても、ロータリシャッタ２０における帯電が防止される。したがって、たとえカートリッジケース１０内に塵埃が入り込んだとしても、塵埃がロータリシャッタ２０に吸着されてカートリッジケース１０内に留まることがない。そして、ロータリシャッタ２０内に収容される記録ディスクメディア３０に対して静電気の悪影響が及ぶこともない。
【００６４】
また、このような記録ディスクカートリッジ１では、前記したように、このロータリシャッタ２０における上シャッタ２１及び下シャッタ２２の凸部２ａが、シャッタウォール２３の窪み２３２と噛み合うように、シャッタウォール２３と上シャッタ２１及び下シャッタ２２とが組み立てられるので、シャッタウォール２３に対する上シャッタ２１及び下シャッタ２２の組立精度、及び強度がより高められる。
【００６５】
以上、本発明の好適な実施形態について説明したが、本発明は前記実施形態に限定されるものではない。
前記実施形態では、ロータリシャッタ２０のシャッタウォール２３が、潤滑剤と帯電防止剤とを含む合成樹脂で形成されているが、本発明はこれに限定されるものではなく、カートリッジケース１０（上シェル１１、下シェル１２）と接触するシャッタウォール２３部分、例えば、図６に示す上側突出面２３３、または下側突出面２３１に、潤滑剤と帯電防止剤とを含む合成樹脂フィルムを貼り付けたものであってもよい。また、上側突出面２３３、または下側突出面２３１に、潤滑剤や帯電防止剤を塗布してもよい。
【００６６】
また、このように潤滑剤と帯電防止剤とを含む合成樹脂フィルムを貼り付ける場合、あるいは潤滑剤と帯電防止剤とを塗布する場合には、カートリッジケース１０（上シェル１１、下シェル１２）と接触するおそれがあるシャッタウォール２３部分にのみ、前記した合成樹脂フィルムを貼り付け、又は潤滑剤と帯電防止剤とを塗布してもよい。ちなみに、本実施形態での記録ディスクカートリッジ１のように、ロータリシャッタ２０（下シャッタ２２）とカートリッジケース１０（下シェル１２）との間に、ハブ孔シャッタ４０（図２参照）を配置したものでは、下シャッタ２２とシャッタウォール２３の下側突出面２３１（図６参照）との間の距離を大きく確保する場合があるが、上側突出面２３３（図６参照）と上シェル１１（図６参照）との接触のおそれがないことを前提に、下側突出面２３１のみに、前記した合成樹脂フィルムが貼り付けられ、又は潤滑剤と帯電防止剤とが塗布されてもよい。
【００６７】
また、前記実施形態では、上シャッタ２１及び下シャッタ２２と、シャッタウォール２３とが、かしめで固定されているが、本発明はこれに限定されるものではなく、接着等の他の手法で固定されていてもよい。
【図面の簡単な説明】
【００６８】
【図１】本実施形態に係る記録ディスクカートリッジを示す斜視図であり、（ａ）は、この記録ディスクカートリッジの上側を見下ろした様子を示す図、（ｂ）は、この記録ディスクカートリッジの下側を見上げた様子を示す図である。
【図２】図１の記録ディスクカートリッジの分解斜視図である。
【図３】図１の記録ディスクカートリッジを構成する下シェル及びハブ孔シャッタを取り外したときの記録ディスクカートリッジの下側の様子を示す図である。
【図４】図１の記録ディスクカートリッジを構成するロータリシャッタの斜視図であり、（ａ）は、ロータリシャッタの上側を見下ろした様子を示す図、（ｂ）は、ロータリシャッタの下側を見上げた様子を示す図である。
【図５】ロータリシャッタの分解斜視図であり、切欠部近傍の拡大図である。
【図６】ロータリシャッタを側面側から見た様子を示す模式図である。
【図７】図１の記録ディスクカートリッジをドライブ装置に装填する際の記録ディスクカートリッジの動作を説明するための斜視図であり、記録ディスクカートリッジの下側を見上げた様子を示す図である。
【図８】（ａ）は、従来の記録ディスクカートリッジの上側を前方左側から見下ろした様子を示す図、（ｂ）は、この記録ディスクカートリッジを構成するロータリシャッタの分解斜視図である。
【符号の説明】
【００６９】
１      記録ディスクカートリッジ
１０    カートリッジケース
２０ａ  周壁部
２１    上シャッタ（上シャッタプレート）
２２    下シャッタ（下シャッタプレート）
２３    シャッタウォール
３０    記録ディスクメディア
１０１  アクセス用開口部（開口部）
２３１  下側突出面（下側周縁）
２３３  上側突出面（上側周縁）
【図１】
2007141366.tif 000003
【図２】
2007141366.tif 000004
【図３】
2007141366.tif 000005
【図４】
2007141366.tif 000006
【図５】
2007141366.tif 000007
【図６】
2007141366.tif 000008
【図７】
2007141366.tif 000009
【図８】
2007141366.tif 000010